(57)【要約】  【課題】  電気接続箱の小型ヒューズ部分の内部結線の導通検査効率を高める。  【解決手段】  樹脂製のヒューズ本体１１の外側先端面１１ａより、該ヒューズ本体１１に埋設されている入力端子１２と出力端子１３をそれぞれ露出する一対の孔１４ａ、１４ｂを設けていると共に、ヒューズ本体１１の外側先端面１１ａより外方に突出する大きさの入力端子側導電板１５ａと出力端子側導電板１５ｂとを該外側先端面１１ａに配置して、入力端子側導電板１５ａと入力端子１２、出力端子側導電板１５ｂと出力端子１３とを、それぞれ孔１４ａ、１４ｂに充填する半田１６により固着すると共に電気接続させた小型ヒューズ１０を電気接続箱の試作品に装着した状態で、導通検査用プローブピン３１ａ、３１ｂを入力端子側導電板１５ａと出力端子側導電板１５ｂに接触させることによりヒューズの導通検査を行う。  【選択図】  図２
2005326271.tif 000002
【特許請求の範囲】
【請求項１】
電気接続箱に装着される小型ヒューズと導通検査用プローブピンとを備え、
前記小型ヒューズは、樹脂製のヒューズ本体内に内側先端面より突出して電気接続箱のヒューズ回路と接続される一対の導通していない端子を備え、前記ヒューズ本体の外側先端面より前記端子をそれぞれ露出する一対の孔を設けていると共に、前記ヒューズ本体の外側先端面に導通検査用の導電板を配置して、これら導電板は前記ヒューズ本体の外側先端面より外方に突出する大きさに設定しており、かつ、
前記導電板と端子とを、それぞれ半田により固着させ、
前記導通検査用プローブピンを前記導電板に接触させることによりヒューズ回路の導通検査を行える構成としている導通検査用治具。
【請求項２】
必要数の前記小型ヒューズを前記電気接続箱に設けたヒューズ装着部のピッチに対応させた所要ピッチをあけて保持枠に装着し、これら小型ヒューズを一括で前記ヒューズ装着部へ挿入している請求項１に記載の導通検査用治具。
【請求項３】
前記請求項１または請求項２に記載の導通検査用治具を用いたヒューズ回路の導通検査方法であって、
前記電気接続箱のヒューズ装着部に前記小型ヒューズを装着して、前記電気接続箱のヒューズ回路と小型ヒューズの端子を接続し、該端子と前記半田により接続された前記導電板に前記導通検査用プローブピンを接触させてヒューズ回路の導通を検査していることを特徴とする導通検査方法。
【発明の詳細な説明】
【技術分野】
【０００１】
本発明は、導通検査用治具および該導通検査用治具を用いた導通検査方法に関し、特に、プローブピンによりヒューズ回路の導通検査を行なうものである。
【背景技術】
【０００２】
近年、自動車等に搭載する電気接続箱は小型化の要請が強く、これを受けてヒューズについても小型ヒューズ（所謂ミニヒューズ）が多く用いられている。この種の小型ヒューズ１は、図６に示すように、絶縁樹脂製のヒューズ本体２に、入力端子３と出力端子４と、これらの端子３、４を結合する溶断部５とを埋設し、入力端子３と出力端子４の先端をヒューズ本体２の下面から突出させている。（特開２００２−０６４９１９号公報参照）
【０００３】
一方、電気接続箱を作成する場合、内部結線に短絡、断線、配線違い等の不具合がないかを確認するため導通検査を実施している。この導通検査において、リレーやヒュージブルリンクなどについてはデバイスを直接挿入して行うが、小型ヒューズ部分の内部回路の導通検査については、図７に示すように、小型ヒューズ未装着のヒューズ装着部６の端子挿入孔６ａに入力端子用と出力端子用からなる一対のプローブピン８ａ、８ｂを差し込み、ヒューズ装着部６の下側から挿入された相手方端子７に接触させて行っている。
特に、多数の小型ヒューズを装着した電気接続箱については、図８に示すような、一対のプローブピン８ａ、８ｂを保持板８ｃに所要ピッチをあけて複数取り付けた治具８を用いて、プローブピン８ａ、８ｂを差し込んで一括挿入して導通検査する方法が用いられている。
【０００４】
しかしながら、小型ヒューズ装着部６を設けたケースの反りやバリ等の影響で、プローブピン８ａ、８ｂが相手方端子７とうまく接触しない場合がある。特に、前記治具８を用いて多数のプローブピンを一括挿入する場合は、該治具の反りなどの影響によってもうまく接触しない場合がある。その場合、プローブピンを先端形状の異なるものに替えたり、治具の押さえ方向を工夫したりするが、非常に不安定で作業性が悪い点に問題がある。
【特許文献１】特開２００２−０６４９１９号公報
【発明の開示】
【発明が解決しようとする課題】
【０００５】
本発明は上記問題に鑑みてなされたもので、電気接続箱の小型ヒューズ部分の導通検査を効率よく行うことができる導通検査用治具および該導通検査用治具を用いて行なう導通検査方法を提供することを課題としている。
【課題を解決するための手段】
【０００６】
前記課題を解決するために、本発明は、第１に、電気接続箱に装着される小型ヒューズと導通検査用プローブピンとを備え、
前記小型ヒューズは、樹脂製のヒューズ本体内に内側先端面より突出して電気接続箱のヒューズ回路と接続される一対の導通していない端子を備え、前記ヒューズ本体の外側先端面より前記端子をそれぞれ露出する一対の孔を設けていると共に、前記ヒューズ本体の外側先端面に導通検査用の導電板を配置して、これら導電板は前記ヒューズ本体の外側先端面より外方に突出する大きさに設定しており、かつ、
前記導電板と端子とを、それぞれ半田により固着させ、
前記導通検査用プローブピンを前記導電板に接触させることによりヒューズ回路の導通検査を行える構成としている導通検査用治具を提供している。
【０００７】
このように、ヒューズ本体の外側先端面に導電板を取り付けることにより、この小型ヒューズを所定のヒューズ装着部に装着したときに、該ヒューズ装着部の外側に前記導電板が露出するため、導通検査の際に、従来のようにプローブピンを端子挿入孔の奥の目視しづらい相手方端子と接触させる必要がなく、外部に露出した導電板に導通検査用のプローブピンを接触させることによって容易に検査することができる。
【０００８】
また、導電板をヒューズ本体の外側先端面より外方に突出する大きさとすることにより、プローブピンとの接触面積が広がるため、ケースに多少の反りやバリがあってプローブピンの先端がずれても、確実に接触が得やすく、導通検査の作業性を向上させることができる。
【０００９】
さらに、前記小型ヒューズの導電板に接触させるプローブピンを備えた導通検査棒を、ヒューズ装着部のピッチに対応させた所要ピッチをあけて保持板に取り付けている導通検査用治具を用いて、多数の小型ヒューズ部分に多数のプローブピンを一括接触させて導通検査する場合であっても、前記のようにプローブピンの接触面積が広いため、該治具の押さえ方向に細かく留意する必要がなく、容易に、かつ効率よく導通検査することができる。
【００１０】
さらにまた、小型ヒューズの形状は一定であるため、前記小型ヒューズは導通検査用として他の電気接続箱にも流用することができ、一度作製しておけば高い利用価値を備える。
【００１１】
前記小型ヒューズは使用済みのリサイクル品から作製してもよい。即ち、この小型ヒューズは導通検査専用であるため、溶断部が切れている使用済みのヒューズで足り、むしろ使用済みヒューズをリサイクルすることによって、低コスト化を図ることができる。
【００１２】
前記小型ヒューズを電気接続箱に設けたヒューズ装着部に装着する際には、必要数の前記小型ヒューズを前記電気接続箱に設けたヒューズ装着部のピッチに対応させた所要ピッチをあけて保持枠に装着し、これら小型ヒューズを一括で前記ヒューズ装着部へ挿入していることが好ましい。
【００１３】
前記構成によれば、電気接続箱のヒューズ装着部に複数の小型ヒューズを一括で挿入することができ、各ヒューズ装着部への小型ヒューズの装着作業を容易にすることができる。
【００１４】
また、本発明は、第２に前記導通検査用治具を用いたヒューズ回路の導通検査方法であって、
前記電気接続箱のヒューズ装着部に前記小型ヒューズを装着して、前記電気接続箱のヒューズ回路と小型ヒューズの端子を接続し、該端子と前記半田により接続された前記導電板に前記導通検査用プローブピンを接触させてヒューズ回路の導通を検査している導通検査方法を提供している。
【００１５】
前記導通検査方法によれば、前記したように、導通検査の際に、従来のようにプローブピンを端子挿入孔の奥の目視しづらい相手方端子と接触させる必要がなく、外部に露出した導電板に導通検査用のプローブピンを接触させることによって容易に検査することができる。
【発明の効果】
【００１６】
上述したように、本発明の小型ヒューズと導通検査用プローブピンとを備えた導通検査治具を用いると、ヒューズの端子と接続させている導電板をヒューズ本体の外側端面に露出させた状態で配置していると共に面積を拡大させているため、導通検査用のプローブピンをヒューズ外面の大面積の前記導電板に接触させると、ヒューズの端子と接触させたのと同じこととなる。よって、治具を用いて多数のプローブピンを一括して導通検査する場合において、プローブピンの位置ずれ等が発生しても導通検査を行うことができ、かつ、ヒューズ外面に露出している前記導電板にプローブピンを接触させるだけで良いため、プローブピンに変形等を発生させることもない。
【発明を実施するための最良の形態】
【００１７】
以下、発明の実施形態を図面を参照して説明する。
図１乃至図５は、本発明の実施形態を示し、電気接続箱試作品のヒューズ回路の導通を検査する導通検査用治具１００は、電気接続箱に装着される小型ヒューズ１０と導通検査用プローブピン３１ａ、３１ｂ（８ａ、８ｂ）とからなる。
【００１８】
前記小型ヒューズ１０は溶断部が溶断されてしまった使用済みのリサイクル品を利用して形成している。図２に示すように、絶縁樹脂製のヒューズ本体１１には、溶断部で結合していない入力端子１２と出力端子１３の上部が埋設されているともに、該入力端子１２と出力端子１３の下部はヒューズ本体１１の内側先端面１１ｂから同一方向に突出している。
【００１９】
前記ヒューズ本体１１の外側先端面１１ａには、該ヒューズ本体１１に埋設された前記入力端子１２と出力端子１３をそれぞれ露出する一対の孔１４ａ、１４ｂを設け、該孔１４ａ、１４ｂに半田１６を外側先端面１１ａに溢れるまで充填した後、入力端子１２側の孔１４ａの上に入力端子側導電板１５ａを、出力端子１３側の孔１４ｂの上に出力端子側導電板１５ｂを載せて、これら導電板１５ａ、１５ｂをヒューズ本体１１の外側先端面１１ａに半田付け１７している。
入力端子側導電板１５ａと出力端子側導電板１５ｂは、いずれも略正方形状の銅片よりなり、図１（Ｂ）にも示すように、前記のように半田付け１７したときにヒューズ本体１１の外側先端面１１ａより３方向に突出する大きさに形成している。
【００２０】
前記構成の小型ヒューズ１０は、入力端子１２と入力端子側導電板１５ａ、出力端子１３と出力端子側導電板１５ｂとが、それぞれ前記孔１４ａ、１４ｂに充填された半田１６により電気接続され、ヒューズ本体１１の上面に入力端子側導電板１５ａ、出力端子側導電板１５ｂとが鍔のように外方に広がって取り付けられて構成となる。これらの入力端子側導電板１５ａと出力端子側導電板１５ｂの大きさは電気接続箱のケースに設けられた小型ヒューズ装着部には正規位置に装着できる大きさとしている。
【００２１】
試作品の小型ヒューズ部分の内部配線の導通検査を行う場合、図２に示すように、電気接続箱の試作品のケース２０の外面に設けられた小型ヒューズ用のヒューズ装着部２１に小型ヒューズ１０を装着し、ヒューズ装着部２１の端子挿入孔２２に入力端子１２と出力端子１３を挿入して、バスバー２６からなる内部回路と接続した相手方端子２５にそれぞれ圧接接続させる。
【００２２】
この状態において、外部に露出している前記入力端子側導電板１５ａと出力端子側導電板１５ｂにプローブピン３１ａ、３１ｂをそれぞれ接触させることで導通検査を行うことができる。
その際、入力端子側導電板１５ａと出力端子側導電板１５ｂは大きく形成しているため、プローブピン３１ａ、３１ｂとの接触面積が広く、プローブピンの先端がずれても容易に接触を確保することができる。
【００２３】
また、図３に示すように、電気接続箱のケース２０に多数のヒューズ装着部２１が設けられている場合、図４に示す保持枠４０を用いて複数の小型ヒューズ１０を一括でヒューズ装着部２１に挿入すると共に、前記図８に示す治具８を用いて導通検査を行う。
【００２４】
図４に示すように、平板状の保持枠４０は複数の貫通孔からなるヒューズ保持部４１を備え、各ヒューズ保持部４１に上方から小型ヒューズ１０を圧入して、必要数の小型ヒューズ１０を保持している。ヒューズ保持部４１は電気接続箱のケース２０のヒューズ装着部２１に対応する所要ピッチをあけて設けており、必要数の小型ヒューズ１０を保持した保持枠４０をケース２０に近接させると、小型ヒューズ１０がそれぞれヒューズ装着部２１に一括で挿入される。
【００２５】
図５に示すように、保持板８ｃに保持された多数の一対のプローブピン８ａ、８ｂを夫々小型ヒューズ１０の入力端子導電板１５ａと出力端子側導電板１５ｂに一括接触させる。  其の際、保持板８ｃの反りが発生していたり、プローブピン８ａ、８ｂのピッチが小型ヒューズ１０の入力端子および出力端子位置とずれていても、プローブピン８ａ、８ｂは大面積とした入力端子導電板１５ａ、出力端子導電板１５ｂと接触させることができれば、導通検査をおこなうことができるため、前記した一括検査時の問題を解消することができ、導通検査効率を上げることができる。
【００２６】
なお、本実施形態では、本発明の導通検査治具を用いて、試作品の電気接続箱のヒューズ回路の導通検査を行なっているが、試作品の電気接続箱に限らず、実際に自動車に搭載される電気接続箱の導通検査にも本発明の導通検査治具を用いることができる。
【図面の簡単な説明】
【００２７】
【図１】本発明の第一実施形態に係る小型ヒューズを示し、（Ａ）は全体斜視図であり、（Ｂ）は平面図である。
【図２】図１に示す小型ヒューズを用いた導通検査の方法を示す要部断面図である。
【図３】電気接続箱試作品のケースに設けた小型ヒューズ装着部を示す平面図である。
【図４】（Ａ）は複数の小型ヒューズを保持する保持枠の平面図、（Ｂ）は保持枠により複数の小型ヒューズを保持した状態を示す正面図である。
【図５】導通検査状態を示す図面である。
【図６】従来例の図である。
【図７】従来の導通検査の方法を示す断面図である。
【図８】導通検査治具を用いた導通検査方法を示す図面である。
【符号の説明】
【００２８】
８  導通検査治具
８ａ、８ｂ  プローブ
８ｃ  保持板
１０  小型ヒューズ
１２  入力端子
１３  出力端子
１５ａ  入力端子側導電板
１５ｂ  出力端子側導電板
２１  小型ヒューズ装着部
【図１】
2005326271.tif 000003
【図２】
2005326271.tif 000004
【図３】
2005326271.tif 000005
【図４】
2005326271.tif 000006
【図５】
2005326271.tif 000007
【図６】
2005326271.tif 000008
【図７】
2005326271.tif 000009
【図８】
2005326271.tif 000010